(57)【要約】  重しを備えていることを特徴とする、馬用の姿勢アンクルブーツ。
2007509618.tif 000002
【特許請求の範囲】
【請求項１】
重しを備えていることを特徴とする馬用の姿勢ゲートル。
【請求項２】
前記ゲートルが馬に固定される時に、予め定めていた向きに応じて前記重しが向けられるように、前記重しが前記ゲートル上に配置されていることを特徴とする請求項１に記載のゲートル。
【請求項３】
前記重しは、前記重しが馬の内側に向けられるように、前記ゲートル上に配置されていることを特徴とする請求項２に記載のゲートル。
【請求項４】
前記重しは、前記ゲートル上で突出するように配置されていることを特徴とする請求項１〜３のいずれか１項に記載のゲートル。
【発明の詳細な説明】
【技術分野】
【０００１】
本発明は、必ずしも限定しないが主に馬用の姿勢矯正システムに関する。
【０００２】
本発明は、ゲートルの形態であり、重しを備えていることを特徴としている。
【０００３】
重しは、馬の足に作用する力（ほとんどの場合、重力）を及ぼしている。
【０００４】
重しの質量、方向及び位置は、要求に応じて修正することができる。
【０００５】
好ましくは、姿勢矯正のため、ゲートルは馬の膝より上方に配置される。馬の後足側では、ゲートルは、馬の飛節よりも下方に配置される。
【０００６】
重しは、好ましくは、ゲートル上で突出するように配置されており、それにより、足に対して比較的に大きな牽引力を及ぼすような、比較的に大きなモーメントが得られる。
【発明の開示】
【０００７】
本発明によるゲートルの目的は、一般に馬の各足が上記ゲートルを備え、馬の進化の途中で「指」を失ったことで失ったバランスを提供することである。なお、馬の進化の中で、今日でも、チェストナットとして知られているものが残っている。現代では、馬は、速度を得たが、バランスは失った。そこで、本発明は、このバランスの悪さを補償する可能性を提供している。それゆえ、馬は、進化によって失ったバランシングツールを取り戻すことができる。
【０００８】
本発明の結果として得られる様々な利点の中で、炎症の低減、姿勢の確立、及び、筋肉運動の促進が際立っている。
【０００９】
本発明によるゲートルでの作業は、足革方向の外側で、足革を固定することによって、いかなる他の装置なく、わずかな労力で足革で行うことができる。
【００１０】
馬は、一旦、筋肉運動を習得して足革を着けた正しい姿勢を習得すると、馬を「働かす」ことができ、ゲートルを着けた馬を乗ることができる。
【００１１】
本発明は、例として以下により詳細に説明する。
【発明を実施するための最良の形態】
【００１２】
図１に示すゲートルは、前足用として有利に使用することができる。このゲートルは、固定システムを備えている、実際のゲートルと、ゲートルの中央に配置されている突起の形態の重しとによって構成されている。
【００１３】
図３及び５は、前足に固定されている、図１のゲートルと同様なゲートルを示している。
【００１４】
図２に示すゲートルは、後足用として有利に使用することができる。重しは、ゲートルの上部に配置されている。
【００１５】
図４は、図２のゲートルを着けた後足を示している。
【００１６】
図６の図は、ゲートルのありうる構成を示している。
【００１７】
図６は、馬１の頭と、しっぽ２と、左前足３と、その重し７と、右前足４と、その重し８と、右後足５と、その重し９と、左後足６と、その重し１０とを表している。
【００１８】
前ゲートルの重し７、８は、内側に向けられ、互いに対向して配置されている。
【００１９】
後ゲートルの重し９、１０は、同様に内側に向けられつつ、後方にも向けられている。すなわち、これら重しは、左後足６では約４時の方向に向けられており、右後足５では約８時の方向に向けられている。
【００２０】
当然、重しの配置及び配向は、必要に応じて修正することができる。
【００２１】
さらに、同一のゲートルについて複数の重しを設けることができる。
【００２２】
最後に、本発明は、重しについて選択される形状又はタイプを限定しないということを指摘すべきである。重し機能を実現できるのであれば、どんな形状又は材料でも選択することができる。
【図面の簡単な説明】
【００２３】
【図１】本発明のゲートルの非限定例を示している。
【図２】本発明のゲートルの非限定例を示している。
【図３】本発明のゲートルの非限定例を示している。
【図４】本発明のゲートルの非限定例を示している。
【図５】本発明のゲートルの非限定例を示している。
【図６】馬に着けた重しの有利な向きを概略図で示している。
【図１】
2007509618.tif 000003
【図２】
2007509618.tif 000004
【図３】
2007509618.tif 000005
【図４】
2007509618.tif 000006
【図５】
2007509618.tif 000007
【図６】
2007509618.tif 000008
【手続補正書】
【提出日】平成17年9月5日(2005.9.5)
【手続補正１】
【補正対象書類名】特許請求の範囲
【補正対象項目名】全文
【補正方法】変更
【補正の内容】
【特許請求の範囲】
【請求項１】
重しを備えている、馬用の前側ゲートルにおいて、
前記ゲートルが、馬の膝の上方に配置されるように実現されていることを特徴としている馬用の前側ゲートル。
【請求項２】
前記重しが、前記ゲートルが馬に固定される時、予め定めた方向に応じて向けられるように向けられていることを特徴としている請求項１に記載の馬用の前側ゲートル。
【請求項３】
前記重しが、馬の内側に向けられるように、前記ゲートル上に配置されていることを特徴とする請求項２に記載の馬用の前側ゲートル。
【請求項４】
重しを備えている、馬用の後側ゲートルにおいて、
前記ゲートルは、前記重しが前記ゲートルの上部に配置されかつ後足の飛節の上方に位置するように実現されていることを特徴としている馬用の後側ゲートル。
【請求項５】
前記ゲートルは、前記飛節の下方に固定されるように実現されることを特徴とする請求項４に記載の馬用の後側ゲートル。
【請求項６】
前記ゲートルが馬に固定される時、前記重しが予め定めた方向に応じて向けられるように、前記重しが前記ゲートル上に配置されていることを特徴とする請求項４又は５に記載の馬用の後側ゲートル。
【請求項７】
前記重しは、馬の内側に向けられるように、前記ゲートル上に配置されていることを特徴とする請求項６に記載の後側ゲートル。
【請求項８】
前記ゲートルが馬の膝の上方に固定されることを特徴とする、重しの付いた馬用前側ゲートルの使用。
【請求項９】
前記ゲートルは、前記重しが馬の飛節の上方に位置するように固定されていることを特徴とする、重しの付いた馬用後側ゲートルの使用。
【請求項１０】
前記ゲートルは前記飛節の下方に固定されていることを特徴とする請求項９に記載の重しの付いた馬用後側ゲートルの使用。
【手続補正書】
【提出日】平成18年7月11日(2006.7.11)
【手続補正１】
【補正対象書類名】特許請求の範囲
【補正対象項目名】全文
【補正方法】変更
【補正の内容】
【特許請求の範囲】
【請求項１】
重しを備えている、馬用の前側ゲートルにおいて、
前記ゲートルが、馬の膝の上方に配置されるように実現されていることを特徴としている馬用の前側ゲートル。
【請求項２】
前記重しが、前記ゲートルが馬に固定される時、予め定めた方向に応じて向けられるように向けられていることを特徴としている請求項１に記載の馬用の前側ゲートル。
【請求項３】
前記重しが、馬の内側に向けられるように、前記ゲートル上に配置されていることを特徴とする請求項２に記載の馬用の前側ゲートル。
【請求項４】
重しを備えている、馬用の後側ゲートルにおいて、
前記ゲートルは、前記重しが前記ゲートルの上部に配置されるように実現されていることを特徴としている馬用の後側ゲートル。
【請求項５】
前記ゲートルは、馬の飛節の下方に固定されるように実現されることを特徴とする請求項４に記載の馬用の後側ゲートル。
【請求項６】
前記ゲートルが馬に固定される時、前記重しが予め定めた方向に応じて向けられるように、前記重しが前記ゲートル上に配置されていることを特徴とする請求項４又は５に記載の馬用の後側ゲートル。
【請求項７】
前記重しは、馬の内側に向けられるように、前記ゲートル上に配置されていることを特徴とする請求項６に記載の後側ゲートル。
【請求項８】
前記ゲートルが馬の膝の上方に固定されることを特徴とする、重しの付いた馬用前側ゲートルの使用。
【請求項９】
前記ゲートルは、前記重しが馬の飛節の下方に固定されていることを特徴とする、重しの付いた馬用後側ゲートルの使用。
【請求項１０】
前記重しは前記ゲートルの上部に設置されていることを特徴とする請求項９に記載の重しの付いた馬用後側ゲートルの使用。
【国際調査報告】
2007509618.tif 000009
2007509618.tif 000010
2007509618.tif 000011
2007509618.tif 000012
2007509618.tif 000013
2007509618.tif 000014